【手続補正書】
【提出日】平成22年2月3日(2010.2.3)
【手続補正１】
【補正対象書類名】明細書
【補正対象項目名】００１２
【補正方法】変更
【補正の内容】
【００１２】
エレクトロルミネセント添加物が混入される感圧接着剤（以下、“基本感圧接着剤”とも称する）としては、（後の用途分野の関係で有利に）原則としてあらゆる感圧接着剤を選択することができる。特に疎水性及び／又は非極性を有する感圧接着剤を選択するのが有利である。例えばポリアクリレートをベースとする感圧接着剤（この場合、この明細書においてはポリアクリレートをベースとする接着剤も包含する）、ポリシロキサンをベースとする感圧接着剤、天然又は合成ゴムをベースとする感圧接着剤及び／又はポリウレタンをベースとする感圧接着剤が例示できるが、これらに制限されない。非常に適する感圧接着剤はブロックコポリマーをベースとするもの、例えばアクリレートブロックコポリマー感圧接着剤及び／又はスチレンブロックコポリマー感圧接着剤がある。
【手続補正２】
【補正対象書類名】明細書
【補正対象項目名】００２０
【補正方法】変更
【補正の内容】
【００２０】
特に、相応する成分ａ、ｂ、及びｃの割合は、コポリマーがTg ≦１５℃のガラス転位温度（Tg）を有するように選択するのが有利である。これらのモノマーは、生じるポリマーが室温において感圧接着剤として使用できるように選択するのが有利であり、特に生じるポリマーがDonatas Satas (van Nostrand, New York 1989) の“Handbook of Pressure Sensitive Adhesive Technology（粘着剤技術のハンドブック）”に相応する粘着性を有するように選択する。感圧接着剤の基礎となるポリマーのガラス転位温度は、非晶質系の動的ガラス転位温度、及び僅かな周波数のもとで動的な機械的分析によって測定することができるセミ結晶質ポリマーのための溶融温度の意味で１５℃以下であるのが有利である。
【手続補正３】
【補正対象書類名】明細書
【補正対象項目名】００２８
【補正方法】変更
【補正の内容】
【００２８】
成分（ｂ）の特に有利な例にはアクリル酸、メタクリル酸、イタコン酸、マレイン酸、フマル酸、クロトン酸、アコニット酸、ジメチルアクリル酸、β−アクロイルオキシプロピオン酸、トリクロロアクリル酸、ビニル酢酸、ビニルホスホン酸、ヒドロキシエチルアクリレート、ヒドロキシプロピルアクリレート、ヒドロキシエチルメタクリレート、ヒドロキシプロピルメタクリレート、アリルアルコール、グリシジルアクリレート、グリシジルメタクリレート、６−ヒドロキシへキシルメタクリレート、Ｎ−メチロールメタクリルアミド、Ｎ−（ブトキシメチル）メタクリルアミド、Ｎ−メチロールアクリルアミド、Ｎ−（エトキシメチル）アクリルアミドがある。ここに挙げた化合物に限定されない。
【手続補正４】
【補正対象書類名】明細書
【補正対象項目名】００３０
【補正方法】変更
【補正の内容】
【００３０】
原則として成分（ｃ）の意味では、成分（ａ）及び／又は成分（b）と共重合し得るあらゆるビニル官能性化合物を使用することができ、そして得られる感圧接着剤の性質を調整するためにも役立ち得る。
【手続補正５】
【補正対象書類名】明細書
【補正対象項目名】００３２
【補正方法】変更
【補正の内容】
【００３２】
架橋反応は塗布後にだけ行う。何故ならば架橋したポリマーは多かれ少なかれその流動性が制限されるからである。架橋反応の目的のためには架橋剤を、塗布前に添加するか又は架橋反応を後から行ったもよい。公知の架橋法では、ラジカル開始剤、特に、ジベンゾイルペルオキシド、クモールヒドロペルオキシド、シクロヘキサノンペルオキシド、ジ−第三ブチルペルオキシド、シクロヘキシルスルホニルアセチルペルオキシド、ジイソプロピル−ペルカルボナート、第三ブチルペルオクトエート、又はベンズピナコールを塗布直前に添加する。これらの開始剤はポリマーの主鎖中にランダムにラジカルを発生させそして架橋点が一部において形成され、再結合する。反応性基、例えばアクリル酸基又はヒドロキシ官能基が存在する場合には、多官能性のイソシアネート、例えば４，４’−ジフェニルメタンジイソシアネート（ＭＤＩ）、ヘキサメチレンジイソシアネート（ＨＤＩ）、トルエンジイソシアネート（ＭＤＩ）又はイソホロンジイソシアネート（ＩＰＤＩ）と架橋反応し得る。多官能性エポキシド架橋剤も適する架橋剤である。例えば適する多感応性エポキシドには、１，４−ブタンジオールジグリシドエーテル、ポリグリセロール−３−グリシドエーテル、シクロヘキサン−ジメタノールジグリシドエーテル、ネオペンチルグリコールジグリシドエーテル、ペンタエリスリットテトラグリシドエーテル、１，６−ヘキサンジオールジグリシドエーテル、ポリプロピレンーグリコールグリシドエーテル、トリメチロールプロパントリグリシドエーテル、ビスフェノール−Ａ−ジグリシドエーテル及びビスフェノール−Ｆ−ジグリシドエーテルがある。
【手続補正６】
【補正対象書類名】明細書
【補正対象項目名】００３９
【補正方法】変更
【補正の内容】
【００３９】
感圧接着剤は、場合によっては軟化剤（可塑剤、例えばホスフェート、フタレート、シトラート）、別の充填剤（例えば有機及び／又は無機ナノ粒子、繊維、酸化亜鉛、チョーク、中実の又は中空のガラス粒子、他の材料よりなる微細粒子、珪酸、珪酸塩、有機系再生原料（例えば木粉）、核形成剤、熱伝導性材料（例えば窒化硼素、酸化アルミニウム、炭化珪素）、膨張剤、配合剤及び／又は老化防止剤（例えば第一又は第二酸化防止剤及び／又は光安定剤）を添加してもよい。
【手続補正７】
【補正対象書類名】明細書
【補正対象項目名】００４３
【補正方法】変更
【補正の内容】
【００４３】
本発明の有利な別の一つの実施態様によれば、ベース感圧接着剤はシリコーンをベースとするもの、特に化学的に又は物理的に架橋している感圧接着剤である。特にラジカル的架橋反応によって、シリコーン感圧接着剤の時間経過による変化が著しく低減され得る。これは凝集性の増加並びに接着性の低下に現れる。この場合、ラジカル的共架橋反応はＢＰＯ−誘導体（ベンゾイルペルオキシド誘導体）の使用によって及び／又は電子線の使用によって実施することができる。
【手続補正８】
【補正対象書類名】明細書
【補正対象項目名】００４８
【補正方法】変更
【補正の内容】
【００４８】
エレクトロルミネセント添加物は既に溶剤法で、好ましくはできるだけ水不含の溶剤の使用下に、重合すべき反応成分混合物中に又はまだ溶液状態で存在する感圧接着剤中に導入することができる。エレクトロルミネセント添加物で変性されたこのように得られる感圧接着剤は、一時的又は永久的支持体材料に溶液状態から直接的に塗布することができる。次いでこの溶剤は乾燥によって除去される。この乾燥は６０〜１６０℃、特に８０〜１２０℃で行うのが有利である。熱的に架橋させる場合には、溶剤の除去の他に架橋反応も実施される。
【手続補正９】
【補正対象書類名】明細書
【補正対象項目名】００６０
【補正方法】変更
【補正の内容】
【００６０】
第二の有利な実施態様においては、エレクトロルミネセス感圧接着剤は片面に導電性の光透過性基体（特に既に説明したものから選択される）を備えており、一方、もう一つの片面には電導性の特に好ましくは光反射性基体が存在している。このように発光強化された片面発光性構造製品が作製することができる（図２参照：（２１が電導性で光透過性の系であり、（２２）がエレクトロルミネセス感圧接着剤であり、（２３）が導電性の光反射性の系である）。電導性で光反射性の系としては例えば金属箔、例えばアルミニウムホイール等を使用するのが有利である。
【手続補正１０】
【補正対象書類名】明細書
【補正対象項目名】００９９
【補正方法】変更
【補正の内容】
【００９９】
本発明の感圧接着剤は例えば一時的支持体（剥離紙、ライナー等）に純粋なエレクトロルミネセンス感圧接着剤の状態で設けることができる。ユーザーは、エレクトロルミネセント系を任意の基体の上に溶剤なしで及び乾燥及び／又は架橋系を必要とすることなく積層することが可能である。
【手続補正１１】
【補正対象書類名】明細書
【補正対象項目名】０１０３
【補正方法】変更
【補正の内容】
【０１０３】
１１、２１、・・・導電性の光透過性の系
２３・・・光反射性の系
１２、２２、３２、４２・・・エレクトロルミネセス感圧接着剤
１３・・・導電性の光透過性の系
３１、３３、４１・・・下側のＩＴＯ−フィルム
３４・・・接合用の底部ＩＴＯフィルムの縁部領域
３５・・・感圧接着剤層上の上側ＩＴＯ−フィルムのオフセット
４３・・・上側ＩＴＯ層